(57)【特許請求の範囲】
【請求項１】
多層の段ボール板の波形コアにより形成された多数の溝が平行に露出した表面を、塗層で覆った建築用壁材において、
前記段ボール板は、それぞれの波形コアを直交する方向で厚み方向に複数積層接着した壁面材本体と、壁面材本体の表面に前記厚み方向と直交して波形コアが縦方向に配列されるべく積層した表面材とを備え、該表面材の表面に露出した波形コアによる多数の平行な溝を埋めるべく前記塗層で覆ったことを特徴とする建築用壁材。
【請求項２】
前記塗層は、漆喰を主体とする塗装層であることを特徴とする請求項１に記載の建築用壁材。
【請求項３】
前記塗層の表面が平滑化されていることを特徴とする請求項１又は２に記載の建築用壁材。
【請求項４】
塗層の表面に所要意匠形状の凹凸を形成したことを特徴とする請求項１又は２に記載の建築用壁材。
【請求項５】
請求項１乃至４のいずれかに記載された建築用壁材の製造方法において、前記段ボール板を建築物の壁面に固定した後に、該段ボール板の前記波形コアにより形成された多数の溝が平行に露出した表面に、前記塗層を施すようにしたことを特徴とする建築用壁材の製造方法。
【発明の詳細な説明】
【技術分野】
【０００１】
本発明は、建築用壁材及びその製造方法に関する。
【背景技術】
【０００２】
建築用壁材、特に建築用内壁材としては、一般に石膏ボードが知られている。この石膏ボードはボード状に成型された石膏板を二枚の硬質紙でサンドイッチ状に挟んだ板材であり、石膏中に多くの水和物を含み、この水和物が火炎に曝されることによって水分を放出するため、耐火性料として好適であるとされている。しかし、割れやすく、施工性の面で課題がある。また、湿度の吸収、放出性に乏しいため、健康上好ましくなかった。さらには廃石膏ボードを処分場などに廃棄したのでは、硫酸鉛還元細菌などにより分解して人体に有害な二硫化水素を放出するため、そのままでは土に戻せないなどの各種課題があった。
【０００３】
ところで、本出願人・発明者は、建築用壁材として、先に下記特許文献１，２に示すような、強化段ボール板を利用した壁材を開発し、実用化している。この壁材は、適度な剛性と保形性があり、また段ボール内に形成される空気層より断熱性に富み、かつ紙製であるため湿度の吸収・放出性があり、かつ廃棄処理にあたっては、自然に土に戻るなどの各種利点を備えている。
【特許文献１】特許第３７３８００２号公報
【特許文献２】特許第３８１７２４３号公報
【発明の開示】
【発明が解決しようとする課題】
【０００４】
本発明は、上記本出願人が開発した強化段ボール板の利点を享有しつつ、壁紙など他の仕上げ材を要することなく、内装仕上げ材も兼用でき得るようにした建築用壁材およびその製造方法を提供するものである。
【課題を解決するための手段】
【０００５】
前記目的を達成するため、本発明は、多層の強化段ボール板１を構成する波形コアにより形成された多数の溝部３ｃが平行に露出した表面を、コーティング塗層４で覆ったことを特徴としている。
【０００６】
前記強化段ボール板１は、それぞれの波形コアを直交する方向で厚み方向に複数積層接着した壁面材本体２と、壁面材本体２の表面に前記厚み方向と直交して波形コアが縦方向に配列されるべく積層した表面材３とを備え、該表面材３の表面に露出した波形コアによる多数の平行な溝を埋めるべく塗層４，１０で覆ったことを特徴としている。この実施の形態による波形コアによる多数の平行な溝は、波形コアの凹凸表面と直交する方向の切断面に生じる凹部の切断半部に形成される。
【０００７】
また、前記強化段ボール板は、それぞれの波形コアを直交する方向で厚み方向に複数積層接着した壁面材本体２を有し、該壁面材本体２の厚紙２ｂを剥離した表面に露出する波形コアの凹部による多数の平行な溝部を埋めるべく塗層４，１０で覆った構成としても良い。
【０００８】
前記塗層４，１０としては、いわゆる左官材と称される漆喰を主体とするコーティング塗装層が有効に適応される。
【０００９】
さらに、本発明では、塗層４、１０の表面が平滑化されているようにしてもよいし、所要意匠形状の凹凸を形成することもできる。
【００１０】
本発明による建築用壁材の製造方法では、前記強化段ボール板１を建築物の内壁面にステップル、釘打ち、或いは接着などにより固定した後に、該強化段ボール板１の前記波形コアにより形成された多数の溝部３ｃが平行に露出した表面に、前記塗層４、１０を左官によるコテ塗りによって施すようにしたことを特徴とする。
【発明の効果】
【００１１】
本発明によれば、塗層の段ボール板との接触面は、塗層自体の接着効果とともに、塗料が段ボール板を構成する波形コアの多数の溝部内に食い込むアンカー効果により、強固に結合されるので、コーティング後は、他の内装仕上げ材を要することなく、内装壁材として有効に使用できる。
本発明の建築用壁材は、従来の石膏ボードに代わる内壁材として、健康及び廃棄環境に優しい壁材として広く利用できる。外壁材として使用することも可能である。
【００１２】
さらに本発明では、塗層４，１０の表面仕上げは、該当する室内壁面に要求される意匠に応じて平滑であっても良いし、凹凸に形成することもできる。
【００１３】
本発明は、こて塗り、吹付、あるいは型内成形などの機械的塗装による製法も含む。また、壁材として強化段ボール板の建て込み後、現場施工により、コテ塗施工をしても良いし、予め、工場において、段ボール板の凹凸表面に塗層を形成したパネルとして提供することもできる。
【発明を実施するための最良の形態】
【００１４】
図１は、本発明の第１の実施形態を示し、（ａ）は塗工前の段ボール板の断面を、（ｂ）は塗工後の壁材を示している。まず（ａ）において、段ボール板１は、それぞれ一定の大きさの波形コア２ａを厚紙２ｂを介して直交する方向で厚み方向に複数積層接着した、所定厚みの壁面材本体２と、壁面材本体２の表面に該本体厚み方向と直交してその波形コア３ａが厚紙３ｂを介して縦方向に配列されるべく積層した表面材３とを備えたものである。前記壁面材本体２のコア２ａの大きさより表面材３のコア３ａの方が大きく形成され、各コア３ａの表面側の端部に平行な溝部３ｃが形成されている。
【００１５】
本実施形態では、波形コアの向きを横方向とした壁面材本体２と、波形コアの向きを縦方向とした表面材３とを接合して段ボール板１を形成しているが、これは段ボール板１の反りを防止するための構造である。本実施の形態では、壁面材本体２は、コア密度が大であるため、主として板材としての強度部材の機能を分担し、表面材３は、コア密度が粗であり、クッション材としての機能と、その表面に形成された多数の平行な溝部３ｃにより、後述する塗層４，１０とのアンカー材としての機能が強固になるようにしたものである。
【００１６】
段ボール板１を形成する壁面材本体２と表面材３とは、両部材の波形コアが略同一寸法の構造であっても良い。また、上記の実施形態では、段ボール板１は、壁面材本体２と表面材３との二層構造としたが、壁面材本体の構造のみの一層構造でも良く、三層構造又はそれ以上の多層構造としても良い。
なお、図においては模式化して描かれているが、実際には木質パネルなどと同様に、９０×１８０、９０×９０、厚み２５〜３０などの定尺材の大きさに成形される。
【００１７】
塗層４を構成する素材は、硬化性であって、所要粘度の水溶性塗材の中から選択できる。これら素材はモルタル、漆喰などがあるが、室内の調湿などの観点からは、漆喰が好適である。周知のように漆喰は、珪藻土などの石灰に、補強材として麻の繊維を加え、草木、海草などから得られるバインダ、溶剤としての水を加えて練上げた複合素材であり、それ自体が調湿機能を持った仕上げ材である。
【００１８】
塗工方法として、例えば現場施工により塗層４を形成する場合には、前記段ボール板１を予め壁面となる位置にステップルなどを介して貼付けた後、こて塗りなどの左官作業などにより表面平滑化した塗層４を得ることができる。なお、この際に、溝部３ｂが床面に対して水平に位置すべく段ボール板１を形成しておけば、食い付効果により、塗材の垂れ落ちなどを未然に防止できる。
【００１９】
また、工場などにおいて、前記段ボール板１を型枠内に設置し、その表面の溝部３ｂに塗材を流し込んで、上型を係合し、加圧乾燥させることにより、塗層４をプレキャスト化した内装壁パネルとして提供することも可能である。
【００２０】
図２は、本発明の第２実施形態を示す。図において、塗層１０の表面が凹凸状をなして形成されている以外は、第１実施形態と同じである。
【００２１】
上記実施の形態では、上記溝部３ｃは、段ボール板を構成する表面材３を、その波形コアの凹凸方向と直交する方向に切断して、切断表面に並設される波形コアの凹部の切断半部を溝部３ｃとしている。
しかしながら、他の実施形態として、段ボール板を構成する壁面材本体２の表面の厚紙を剥離して、該剥離面に表出される凹部を溝部とし、この溝部内に塗料が挿入されるように、塗層４，１０を形成させるようにしても差し支えない。
【００２２】
本発明に係る建築用壁材では、塗層４，１０の乾燥後は固化して、段ボール板１に一体化するため、恰も塗り壁のごとき壁面を形成し、かつ通気性があるため、室内が乾燥する場合には段ボール板１の内部湿気を室内側に向けて放出し、湿気があれば逆に吸湿し、室内を恒常的な湿度雰囲気に保つことになる。また、段ボール板１の内部に空気層があることにより、断熱材としての利点も享有することは勿論である。段ボール板１として、強化段ボール板を用いることにより、外壁材として用いることも可能である。
【図面の簡単な説明】
【００２３】
【図１】（ａ），（ｂ）は本発明の建築用壁材の第１実施形態による塗工前後の模式的断面図である。
【図２】第２実施形態の模式的断面図である。
【符号の説明】
【００２４】
１  段ボール板
２  壁面材本体
２ａ，３ａ  波形コア，２ｂ，３ｂ  厚紙、３ｃ  溝部
３  表面材
４  ，１０  塗層
【図１】
0004648427.tif 000002
【図２】
0004648427.tif 000003